(57)【要約】【課題】本発明は高画質の動映像データまたは高音質のオーディオデータを再生専用光ディスクに暗号化して記録するとともに、その暗号化されたデータの一部区間の内容をユーザーが暗号化解読なしにも視聴または聴取できるようにしたデモ用データを記録し、そのデモ用データから所望の内容を選択できるようにすることである。【解決手段】本願発明はディジタル内容の一部と同じで暗号化されていないサンプルデータが存在する位置情報を読み取り、暗号化されたディジタル内容を解読するために必要な解読コードをなしで、前記読み出した位置情報に基づいて前記サンプルデータを再生することを特徴とする。【選択図】図５ａ
2006164508.tif 000002
【特許請求の範囲】
【請求項１】
（ａ）ディジタル内容の一部と同じで暗号化されていないサンプルデータが存在する位置情報を読み取るステップと、
（ｂ）暗号化されたディジタル内容を解読するために必要な解読コード無しで、前記読み出した位置情報に基づいて前記サンプルデータを再生するステップと
を有することを特徴とするディジタル内容を再生する方法。
【請求項２】
前記位置情報は少なくとも前記サンプルデータの開始位置を示すことを特徴とする請求項１記載の方法。
【請求項３】
前記位置情報はさらに前記サンプルデータの終わり位置をも示すことを特徴とする請求項２記載の方法。
【請求項４】
前記位置情報が前記サンプルデータの区間情報を示すことを特徴とする請求項１記載の方法。
【請求項５】
前記サンプルデータがディジタル内容の一部と同じいくつかの対応する部分を有し、前記ステップ（ａ）が前記いくつかの部分が存在するそれぞれの位置情報を読み取ることを特徴とする請求項１記載の方法。
【請求項６】
デジタル内容を再生する装置であって、
前記デジタル内容とそのデジタル内容の一部と同じであって暗号化されていないサンプルデータとを含むディジタルデータを格納するメモリと、
前記サンプルデータが存在する位置情報を読み出し、かつその読み出した位置情報に基づいて、暗号化されたディジタル内容を解読するために必要な解読コードなしで、前記サンプル情報を再生する制御部と
を有することを特徴とする装置。
【請求項７】
前記位置情報を前記メモリに格納していることを特徴とする請求項６記載の装置。
【請求項８】
前記サンプルデータが複数の部分を含み、それらが前記ディジタル内容の対応する部分と同じであり、前記制御部がその複数の部分を指示するそれぞれの位置情報に基づいてサンプルデータのそれぞれの部分を再生することを特徴とする請求項６記載の装置。
【発明の詳細な説明】
【技術分野】
【０００１】
本発明は、再生専用光ディスクに暗号化されて記録されたデータの内容の一部を試しに見る、すなわち試演するためのデモ用データが記録された再生専用光ディスクと、その再生方法に関する。
【背景技術】
【０００２】
最近では、高画質の動映像データまたは高音質のオーディオデータを、インターネット等のようなオンライン通信網を通して提供して、一般ユーザーがこれをＤＶＤまたはＣＤのような光ディスクにダウンロードした後、再生できるようにする販売方式が普及する可能性がある。
【０００３】
前記のようにオンライン通信網を通して転送提供されるデジタルオーディオデータをＥＭＤ（ＥＭＤ:Electronic Music Distribution）オーディオデータという。ＥＭＤオーディオデータの無断複製の防止及び著作権保護のために、コンテンツプロバイダ、すなわちＥＭＤオーディオ提供業者は各々異なる固有のフォーマットでオーディオデータをエンコーディングしたり、固有の複製防止コード（Copy Protection Key）などをオーディオデータに付加している。
【０００４】
ＥＭＤオーディオデータを聴取するためには、ＥＭＤオーディオ提供業者から提供される固有の解読コード（Descryption Key）が必ず必要である。正当な解読コードがなければオーディオデータの再生ができないので、デジタルオーディオデータの無断複製と著作権侵害の可能性を防止できる。
【０００５】
このような保護装置によって、高画質の動映像データまたは高音質のオーディオデータを、前述したように、別途の解読コードが必ず必要な暗号化されたデータとして構成させた後、インターネットのようなオンライン通信網を通して一般ユーザーに販売する方式が急速に広まることと期待されている。
【０００６】
しかし、前記のように暗号化されたデジタルデータを光ディスク等にダウンロードした後、再生して聴取するためには、別の解読コードが必ず必要であるので、解読コードなしには一般ユーザーは、暗号化されたＥＭＤオーディオデータが自分が所望する内容のオーディオ曲に該当しているか否かを予め確認できない。すなわち、記録媒体に記録されたＥＭＤオーディオデータが所望する曲であるか、さらには所望する音質の曲であるかを確認できない。結果的に暗号化されたＥＭＤオーディオデータを解読再生できる解読コードの有料購入をためらうようになる。
【０００７】
また、インターネットのような通信網を通してオンラインでＥＭＤオーディオデータを選択して、記録媒体にダウンロードするためには、希望する内容のＥＭＤオーディオデータを提供する特定ウェブサイトを検索して接続した後、ＥＭＤオーディオデータを選択指定し、光ディスクにダウンロードするという一連の動作を行わなければならない。すなわち、特定ウェブサイトの検索及び接続とＥＭＤオーディオデータのダウンロードとに多くの努力と時間が必要とするという問題点がある。そのため、デジタルオーディオ曲のオンライン販売が困難となっている。
【発明の開示】
【発明が解決しようとする課題】
【０００８】
本発明は前記のような問題点を解決するためになされたものである。高画質の動映像データまたは高音質のオーディオデータを再生専用光ディスクに暗号化して記録するが、その暗号化されたデータの一部区間の内容をユーザーが暗号化解読なしにも視聴または聴取できるようにしたデモ用データをも記録し、そのデモ用データから所望の内容を選択できるようにすることである。
【課題を解決するための手段】
【０００９】
本願発明はディジタル内容の一部と同じで暗号化されていないサンプルデータが存在する位置情報を読み取り、暗号化されたディジタル内容を解読するために必要な解読コードなしで、前記読み出した位置情報に基づいて前記サンプルデータを再生することを特徴とする。
【００１０】
また、本願発明はデジタル内容を再生する装置であって、前記デジタル内容とそのデジタル内容の一部と同じであって暗号化されていないサンプルデータを含むディジタルデータを格納するメモリと、前記サンプルデータが存在する位置情報を読み出し、かつその読み出した位置情報に基づいて、暗号化されたディジタル内容を解読するために必要な解読コードないしで、前記サンプル情報を再生する制御部とを有することを特徴とする。
【発明を実施するための最良の形態】
【００１１】
以下、本発明によるデモ用データが記録された光ディスクと、その再生方法に対する望ましい実施形態に対して、添付された図面を参照しながら詳細に説明する。
【００１２】
図１は本発明による再生専用光ディスクの再生方法が適用される光ディスク装置に対する一部構成を示したものである。このディスク装置は、例えば、インターネットと連結接続されるパーソナルコンピュータ（ＰＣ）に装着されるディスクドライブでよい。図１の光ディスク装置は、データ記録領域上に暗号化されたデータと、その暗号化されたデータの一部区間と同一内容のデータを暗号化されないデモ用データが付加記録された再生専用光ディスク１からデータを読み出すための光ピックアップ２と；光ピックアップ２によって読み出される信号を処理して元来のデータに復元する再生信号処理部３と；光ピックアップ２によって読み出されるデータを一時的に格納するバッファ部５と；再生専用光ディスク１に記録されたデータを再生制御するためのナビゲーションデータのような管理情報と、暗号化されたデータの解読コードが格納されるメモリ部６と；これらの構成手段を作動制御して、デモ用データを選別再生したり、またはインターネットと連結接続されたパーソナルコンピュータとのインタフェースを介して、記録データに対する解読コードを要請及び受信して、暗号化されたデータを解読再生されるように制御する制御部４を含んでいる。
【００１３】
再生専用光ディスク１は、例えばＤＶＤ−ＲＯＭ  １でよい。そして、再生専用光ディスク１はデータ記録領域と、管理情報記録領域に別けて区分されるが、データ記録領域には、暗号化データ、例えば、複数のオーディオ曲が暗号化されて記録されるとともに、暗号化されたオーディオ曲の一部区間に記録されたオーディオデータと同一の内容のオーディオデータが暗号化されずにデモ用データとして付加記録されている。前記のように暗号化されて記録された複数のオーディオ曲とそのデモ用データは、各々オーディオ記録集合体（ＡＯＢ：Audio OBject）単位で区画管理される。オーディオ記録集合体一つに対してこれを再生制御するための一つのセル情報ＣＩが管理情報記録領域に設けられている。このセル情報は関連記録集合体の記録位置（開始と終わりまたは開始と区間長さ）に対する情報を有する。
【００１４】
また、ＤＶＤ−ＲＯＭ  １の管理情報記録領域には、オリジナルプログラムチェーン情報（ＰＧＣＩ：Program Chain Information）及びユーザー定義プログラムチェーン情報も記録されるが、このプログラムチェーン情報内にセル情報が含まれて記録されている。したがって、一つのプログラムチェーン情報ＰＧＣＩは、その内部に含んでいる複数のセル情報に対応する複数のオーディオ記録集合体を索引できるので、一つのプログラムチェーン情報を選択することによって所望するオーディオトラックを検索して再生させることができる。
【００１５】
図２は、記録されたオーディオトラックに対するサンプルデータ記録集合体とプログラムチェーン情報との関係を例示したものである。オーディオトラックＡＯＢ  Ｎ＋１、Ｎ＋２、Ｎ＋３．．はＤＶＤ−ＲＯＭ  １のデータ記録領域であって、そこに暗号化されてデータが記録されている。一方、オーディオトラックの一部区間と同一の内容のデモ用データＳ１、Ｓ２、Ｓ３、．．．が非暗号化のままオーディオ記録集合体ＡＯＢ  １、２、３．．に記録されている。そして、それらＡＯＢ  １、２、３．．の記録開始位置情報ＤＡ＿Ｓ＿Ｐと記録終了位置情報ＤＡ＿Ｅ＿Ｐまたは記録区間情報ＤＡ＿Ｄｕｒに対する情報を有する複数のセル情報Ｃｅｌｌ  １、２、３．．がオリジナルプログラムチェーン情報ＯＲＧ＿ＰＧＣ内に記録されている。したがって、オリジナルプログラムチェーンを選択すれば記録されたオーディオトラックのサンプルデータのみが再生される。
【００１６】
図３は、記録されたオーディオトラックの記録集合体とプログラムチェーン情報との関係を例示したものである。暗号化されたオーディオデータを有するソーストラックＡＯＢ  Ｎ＋１、Ｎ＋２、Ｎ＋３．．の記録開始位置情報ＵＡ＿Ｓ＿Ｐと記録終了位置情報ＵＡ＿Ｅ＿Ｐまたは記録区間情報ＵＡ＿Ｄｕｒに対する情報を有する複数のセル情報Ｃｅｌｌ  Ｎ＋１、Ｎ＋２、Ｎ＋３．．がユーザー定義プログラムチェーン情報内に記録されている。したがって、ユーザー定義プログラムチェーンを選択すれば、暗号化されたデータを解読する解読コードがある場合に記録されたソースデータを再生することができる。
【００１７】
したがって、制御部４は解読コードがなければ、オリジナルプログラムチェーン情報ＯＲＧ＿ＰＧＣを利用して、解読コードを必要としない暗号化されていないデモ用データのみを検索して再生するデモ用データ再生動作を実施する。一方、解読コードがあればユーザープログラムチェーン情報ＵＳＥＲ＿ＰＧＣを利用して、暗号化されたオーディオ曲を検索した後、メモリ部６に予め格納された解読コードを利用してオーディオトラックのデータを解読再生する作動を実施する。
【００１８】
もしも、ＤＶＤ−ＲＯＭ  １のデータ記録領域に記録されたソースデータがオーディオデータでなくて動映像データである場合には、ソーストラックがオーディオ記録集合体ＡＯＢでないビデオ記録集合体（ＶＯＢ：Ｖｉｄｅｏ  Ｏｂｊｅｃｔ）として区分されるが、このときも、図４に示したように、暗号化されたソーストラックＶＯＢ  ２の一部の区間と同一内容の非暗号化されたビデオデータが一つのビデオ記録集合体ＶＯＢ  １として記録されていて、暗号化データ記録集合体ＶＯＢ  ２と非暗号化データ記録集合体ＶＯＢ  １を参照するセル情報が異なるまたは同一のプログラムチェーン情報に記録される。
【００１９】
以下、前記のようにデモ用データが記録された光ディスクの再生動作に対して詳細に説明すると次のとおりである。
【００２０】
図５ａ及び図５ｂは、本発明による再生専用光ディスクの再生方法に対する作動の流れ図を示したものである。図１の光ディスク装置に、デモ用データが記録された光ディスク、例えば、ＤＶＤ−ＲＯＭ  １が装着されると（Ｓ１０）、制御部４は、ＤＶＤ−ＲＯＭ  １の管理情報記録領域に記録されている前述した管理情報、すなわちオリジナルプログラムチェーン情報ＯＲＧ＿ＰＧＣ、ユーザープログラムチェーン情報ＵＳＥＲ＿ＰＧＣ、及びセル情報などを読み出して、メモリ部６に格納する（Ｓ１１）。
【００２１】
そして、制御部４は、必要であるならば、ＤＶＤ−ＲＯＭ  １に収録された固有の再生プログラムを実行させ（Ｓ１２）、そして、暗号化記録されたユーザーデータを解読再生するための解読コードがメモリ部６に存在するか否かを確認する（Ｓ１３）。解読コードの確認は制御部４の代わりに実行された再生プログラムで実施することもできる。
【００２２】
確認の結果、解読コードが存在しない場合、暗号化されたオーディオ記録集合体の解読コードが存在しない場合、制御部４は暗号化されたソースデータの解読再生が不可能であるという案内メッセージと解読コードの購入を案内するメッセージを、パーソナルコンピュータに転送して出力させる（Ｓ１４）。
【００２３】
図６は、前記のような場合に出力される画面の例である。図６の画面は解読コードをダウンロードを通して購買することかを尋ねる窓を含んでいる。また、解読コードを提供する特定ウェブサイトとのインターネット連結接続を容易にできるようにするためのＵＲＬ情報と、ソースデータに対応する解読コードのダウンロードによる購買を選択することができるボタンを含む。
【００２４】
ユーザーが解読コードの購買を要請しないと（Ｓ１５）、制御部４は、メモリ部６に格納されたオリジナルプログラムチェーン情報ＯＲＧ＿ＰＧＣを読み出して、そのオリジナルプログラムチェーン情報に含まれた各セル情報Ｃｅｌｌ  １、２、３．．を検索して（Ｓ１６）、各セル情報に記録されているサンプル記録集合体ＡＯＢの記録開始位置情報ＤＡ＿Ｓ＿Ｐと記録終了位置情報ＤＡ＿Ｅ＿Ｐを読み出して確認する（Ｓ１７）。
【００２５】
そして、読み出して確認された記録開始位置情報と記録終了位置情報に対応するデータ記録位置を検索して、該当する記録集合体に記録されたデモ用データを順次に読み出した後、解読過程なしに再生出力するデモ用データの再生動作を実施する（Ｓ１８）。
【００２６】
したがって、ユーザーは解読コードを有料購入なくても、記録媒体に記録されたソースデータの内容一部を再生聴取または視聴でき、その結果に基づいて、全体データの解読コードの有料購入を決定できるようになる。
【００２７】
一方、確認の結果、解読コードが存在する場合（Ｓ１３）には、メモリ部６に格納されたユーザープログラムチェーン情報ＵＳＥＲ＿ＰＧＣを読み出して、そのユーザープログラムチェーン情報に含まれた各セル情報Ｃｅｌｌ  Ｎ＋１、Ｎ＋２、Ｎ＋３．．を検索して（Ｓ２０）、各セル情報に記録されているソース記録集合体の記録開始位置情報ＵＡ＿Ｓ＿Ｐと記録終了位置情報ＵＡ＿Ｅ＿Ｐを読み出して確認する（Ｓ２１）。
【００２８】
そして、各セル情報に対応するオーディオ記録集合体ＡＯＢ  Ｎ＋１、Ｎ＋２、Ｎ＋３．．の解読コードをメモリ部６から読み出して、確認された各ソース記録集合体の記録開始位置情報と記録終了位置によって指定されたデータ記録区間を検索した後、その記録区間に暗号化記録されたユーザーデータを読み出し、解読コードを利用して、暗号化されたユーザーデータを元来のオーディオデータに解読して出力する作動を実施する（Ｓ２２）。
【００２９】
もしも、再生エラー案内メッセージが出力された状態で、ユーザーが解読コードの購買を要請すれば（Ｓ１５）、制御部４は解読コードを提供する特定ウェブサイトに対するＵＲＬ（ＵＲＬ：Ｕｎｉｆｏｒｍ  Ｒｅｓｏｕｒｃｅ  Ｌｏｃａｔｏｒ）情報と、ＤＶＤ−ＲＯＭ  １に与えられた固有の識別情報、例えば２バイトの固有一連番号をメモリ部６またはＤＶＤ−ＲＯＭ  １から読み出した後、パーソナルコンピュータに送る（Ｓ３０）。
ユーザーの購買要請は、モニターに図６のように表示された画面で「Ｄｏｗｎｌｏａｄ」ボタンを、マウスなどを利用したクリックによってなされる。
【００３０】
ウェブサイトは、受信されたディスク固有番号に対して予め指定されている解読コードを該当する解読コードとして特定して、これを、要請したパーソナルコンピュータにダウンロードする。これは再びディスクドライブに転送される（Ｓ３１）。この過程はパーソナルコンピュータ、そしてウェブサイト間の事前規約によってなされる。
【００３１】
ＵＲＬ情報とディスク識別情報は、ＤＶＤ−ＲＯＭ  １の管理情報記録領域内に記録されていて、ＤＶＤ−ＲＯＭ  １が、ディスクドライブに装着する時、管理情報記録領域上に記録された管理情報等と一緒に読み出された後、メモリ部６に格納される。
【００３２】
受け取った解読コードは、制御部４によってディスク識別情報と一緒にメモリ部６に格納される（Ｓ３２）。
【００３３】
以後、制御部４は、前述したように、ユーザープログラムチェーン情報ＵＳＥＲ＿ＰＧＣによって指定されたソース記録集合体全体を検索した後、各記録集合体に含まれているデータを、メモリ部６に格納された解読コードを利用して解読再生する、前述した一連の再生動作を実施できる。
【００３４】
ユーザープログラムチェーン情報ＵＳＥＲ＿ＰＧＣをＤＶＤ−ＲＯＭのような再生専用光ディスクの管理情報記録領域に付加的に記録せずに、特定ウェブサイトとの接続を通して、購買される解読コードと一緒にダウンロードして、メモリ部６に格納して、再生時にソース記録集合体を参照するようにしてもよい。
【００３５】
以上、前述した本発明の望ましい実施形態は、例示の目的のために開示されたものであって、ＤＶＤ−ＲＯＭ以外にも、ＣＤまたはビデオＣＤ（Ｖｉｄｅｏ  ＣＤ）等のような多様な類型の再生専用光ディスクに適用可能なことはもちろん、オーディオデータ以外にも動映像または停止映像のようなビデオデータに適用可能であり、それ以外にも当業者ならば添付された特許請求範囲に開示された本発明の技術的思想とその技術的範囲内で、多様な他の実施形態を改良、変更、代替または付加などが可能である。
【図面の簡単な説明】
【００３６】
【図１】本発明による再生専用光ディスクの再生方法が適用される光ディスク装置に対する一部構成を示した図。
【図２】本発明による再生専用光ディスクに記録された暗号化データとデモ用データ、そしてそれによる管理情報に対する実施形態を示した図。
【図３】本発明による再生専用光ディスクに記録された暗号化データとデモ用データ、そしてそれによる管理情報に対する実施形態を示した図。
【図４】本発明による再生専用光ディスクに記録された暗号化データとデモ用データ、そしてそれによる管理情報に対する実施形態を示した図。
【図５ａ】本発明による再生専用光ディスクの再生方法に対する作動流れ図。
【図５ｂ】本発明による再生専用光ディスクの再生方法に対する作動流れ図。
【図６】本発明による再生専用光ディスクの再生方法によって画面表示されるパーソナルコンピュータにおけるモニター画面である。
【符号の説明】
【００３７】
１…光ディスク、２…ヘッド、３…再生プロセッサ、４…システム制御部、５…バッファ、６…メモリ
【図１】
2006164508.tif 000003
【図２】
2006164508.tif 000004
【図３】
2006164508.tif 000005
【図４】
2006164508.tif 000006
【図５ａ】
2006164508.tif 000007
【図５ｂ】
2006164508.tif 000008
【図６】
2006164508.tif 000009